(57)【要約】【課題】  表示への悪影響なしに、マルチチャンネルスピーカとして構成できる液晶パネルスピーカを提供することにある。【解決手段】  液晶表示部１０２の全面を覆う中央の振動パネル１０３と、この中央の振動パネル１０３の左右外側に位置する左右の振動パネル１０５，１０７とを備えている。【選択図】  図１
2006325079.tif 000002
【特許請求の範囲】
【請求項１】
シリコンパネルと、
このシリコンパネルの左右方向中央位置に設けられた液晶表示部と、
この液晶表示部の全面を覆うように上記シリコンパネルに設けられた透明な中央の振動パネルと、
この中央の振動パネルの左右外側に位置するように上記シリコンパネルに設けられた左右の振動パネルと
を備えることを特徴とする液晶パネルスピーカ。
【請求項２】
請求項１に記載の液晶パネルスピーカにおいて、
上記シリコンパネルに設けられたステレオ右側音声信号処理部と、
上記シリコンパネルに設けられたステレオ左側音声信号処理部と、
上記シリコンパネルに設けられると共に上記ステレオ右側音声信号処理部および上記ステレオ左側音声信号処理部からのステレオ信号を混合して生成したモノラル信号を上記中央の振動パネルに出力する加算器と
を備えることを特徴とする液晶パネルスピーカ。
【請求項３】
請求項２に記載の液晶パネルスピーカにおいて、
上記中央の振動パネルの剛性は、上記左右の振動パネルの剛性よりも、大きいことを特徴とする液晶パネルスピーカ。
【請求項４】
請求項２に記載の液晶パネルスピーカにおいて、
上記中央の振動パネルに、異なる位置に配置された複数の振動子が設けられていることを特徴とする液晶パネルスピーカ。
【請求項５】
請求項２に記載の液晶パネルスピーカにおいて、
上記右の振動パネルに設けられた振動子は、上記ステレオ右側音声信号処理部からの右ステレオ信号を受け、
上記左の振動パネルに設けられた振動子は、上記ステレオ左側音声信号処理部からの左ステレオ信号を受けることを特徴とする液晶パネルスピーカ。
【請求項６】
請求項５に記載の液晶パネルスピーカにおいて、
上記シリコンパネルに設けられると共に上記左右のステレオ信号にステレオ感強調処理を施して上記左右の振動パネルに出力するステレオ感強調処理回路を備えることを特徴とする液晶パネルスピーカ。
【請求項７】
請求項１ないし６の何れか一つに記載の液晶パネルスピーカにおいて、
上記シリコンパネルに、音響信号を複数の周波数帯域に分割するフィルタを設け、この帯域分割された信号を上記複数の振動パネルの再生周波数帯域に合わせて上記複数の振動パネルに出力することを特徴とする液晶パネルスピーカ。
【請求項８】
シリコンパネルと、
このシリコンパネルに設けられた液晶表示部と、
この液晶表示部の全面を覆うように上記シリコンパネルに設けられた透明な第１の振動パネルと、
この第１の振動パネルの外側に位置するように上記シリコンパネルに設けられた第２の振動パネルと、
上記シリコンパネルに設けられると共に、音響信号を複数の周波数帯域に分割し、この帯域分割された信号を上記第１と上記第２の振動パネルの再生周波数帯域に合わせて上記第１と上記第２の振動パネルに出力するフィルタと
を備えることを特徴とする液晶パネルスピーカ。
【請求項９】
請求項８に記載の液晶パネルスピーカにおいて、
上記フィルタは、上記第１の振動パネルに低域周波数の信号を出力する一方、上記第２の振動パネルに高域周波数の信号を出力することを特徴とした液晶パネルスピーカ。
【発明の詳細な説明】
【技術分野】
【０００１】
この発明は、液晶パネルスピーカに関する。
【背景技術】
【０００２】
平面パネルを振動させて音を出力するパネルスピーカがある。このパネルスピーカには、分布振動モードと呼ばれる、振動パネルを分割振動させる方式がある。この分布振動を用いて一枚の振動パネル内の左右位置に、左右それぞれの音源用振動子を配置することで、一枚のパネルでもステレオ再生することが可能である。
【０００３】
また、他のパネルスピーカとしては、パネルスピーカの振動パネルを複数の領域に分割してマルチチャンネンルのスピーカとすることで、周波数特性やステレオ分離特性を改善するものもある（特開２０００−１２５３９１号公報：特許文献１参照、特開２００３−１２５４７５号公報：特許文献２参照）。
【０００４】
また、別のパネルスピーカとしては、シリコンパネルにロジック回路および液晶表示回路を混在して搭載し、さらに、この液晶表示回路の液晶表示部の前面に、透明ガラスパネルを設け、このパネルを振動子で振動させ音を出すものがある。
【０００５】
ここでは、この別のパネルスピーカを液晶パネルスピーカと呼ぶことにする。この液晶パネルスピーカは、一枚のパネルに、ロジック回路、液晶表示回路およびスピーカ機能を搭載できるので、コストを削減でき、かつ、コンパクトに実装できるというメリットがある。
【０００６】
しかしながら、上記表示領域上の一枚の振動パネルを分布振動モードで振動させる場合、低域から高域まで広い周波数帯域をカバーする周波数特性を持たせることは困難であった。また、左右のステレオ分離の特性も不十分である課題があった。
【０００７】
そこで、周波数特性やステレオ分離特性を改善する目的で、上記他のパネルスピーカのように振動パネルを分割する方式が考えられるが、液晶パネルスピーカでは、上記液晶表示部上の振動パネルを分割すると、上記液晶表示部による表示に筋が入るなどの悪影響があった。
【特許文献１】特開２０００−１２５３９１号公報
【特許文献２】特開２００３−１２５４７５号公報
【発明の開示】
【発明が解決しようとする課題】
【０００８】
そこで、この発明の課題は、表示への悪影響なしに、マルチチャンネルスピーカとして構成できる液晶パネルスピーカを提供することにある。
【課題を解決するための手段】
【０００９】
上記課題を解決するため、この発明の液晶パネルスピーカは、
シリコンパネルと、
このシリコンパネルの左右方向中央位置に設けられた液晶表示部と、
この液晶表示部の全面を覆うように上記シリコンパネルに設けられた透明な中央の振動パネルと、
この中央の振動パネルの左右外側に位置するように上記シリコンパネルに設けられた左右の振動パネルと
を備えることを特徴としている。
【００１０】
この発明の液晶パネルスピーカによれば、上記液晶表示部の全面は一枚の上記中央の振動パネルに覆われているので、上記中央の振動パネルには分割溝がなくて、上記液晶表示部による表示に、上記中央の振動パネルによって筋が入ることがなく、上記液晶表示部による表示に悪影響がない。また、スピーカは、上記中央の振動パネルと上記左右の振動パネルとに分割されているので、マルチチャンネルスピーカとして構成できる。また、一枚の上記シリコンパネルに上記液晶表示部および上記振動パネルを搭載できるので、コストの低減および小型化を図ることができる。
【００１１】
また、一実施形態の液晶パネルスピーカでは、
上記シリコンパネルに設けられたステレオ右側音声信号処理部と、
上記シリコンパネルに設けられたステレオ左側音声信号処理部と、
上記シリコンパネルに設けられると共に上記ステレオ右側音声信号処理部および上記ステレオ左側音声信号処理部からのステレオ信号を混合して生成したモノラル信号を上記中央の振動パネルに出力する加算器と
を備える。
【００１２】
この実施形態の液晶パネルスピーカによれば、上記加算器は、（大きな面積に設定可能な）上記中央の振動パネルにモノラル信号を出力しているので、上記中央の振動パネルの再生周波数特性に合わせた低域周波数の信号を上記中央の振動パネルに出力できる。このように、音量不足や消費電力の無駄を防止して、再生効率を向上できて、低域周波数の再生特性を改善できる。さらに、一枚の上記シリコンパネルに上記ステレオ右側音声信号処理部、上記ステレオ左側音声信号処理部および上記加算器を搭載できるので、コストの低減および小型化を図ることができる。
【００１３】
また、一実施形態の液晶パネルスピーカでは、上記中央の振動パネルの剛性は、上記左右の振動パネルの剛性よりも、大きい。
【００１４】
この実施形態の液晶パネルスピーカによれば、上記中央の振動パネルの剛性を高くすることで、上記中央の振動パネルの平面振動が生じ易くなり、低域周波数信号が再生し易くなって、低域周波数の再生特性が一層改善される。
【００１５】
また、一実施形態の液晶パネルスピーカでは、上記中央の振動パネルに、異なる位置に配置された複数の振動子が設けられている。
【００１６】
この実施形態の液晶パネルスピーカによれば、上記中央の振動パネルに、異なる位置に配置された複数の振動子が設けられているので、上記中央の振動パネルの平面振動が生じ易くなり、低域周波数信号が再生し易くなって、低域周波数の再生特性が一層改善される。
【００１７】
また、一実施形態の液晶パネルスピーカでは、上記右の振動パネルに設けられた振動子は、上記ステレオ右側音声信号処理部からの右ステレオ信号を受け、上記左の振動パネルに設けられた振動子は、上記ステレオ左側音声信号処理部からの左ステレオ信号を受ける。
【００１８】
この実施形態の液晶パネルスピーカによれば、上記右の振動パネルに設けられた振動子は、上記ステレオ右側音声信号処理部からの右ステレオ信号を受け、上記左の振動パネルに設けられた振動子は、上記ステレオ左側音声信号処理部からの左ステレオ信号を受けるので、（小さな面積に設定可能な）上記左右の振動パネルの再生周波数特性に合わせた高域周波数の信号を上記左右の振動パネルに出力できる。このように、音量不足や消費電力の無駄を防止して、再生効率を向上できて、高域周波数の再生特性を改善できる。また、高域周波数用の上記左右の振動パネルを、左右の離れた位置に配置することで、音の拡がりをだすことができて、ステレオ分離特性を効果的に改善できる。
【００１９】
また、一実施形態の液晶パネルスピーカでは、上記シリコンパネルに設けられると共に上記左右のステレオ信号にステレオ感強調処理を施して上記左右の振動パネルに出力するステレオ感強調処理回路を備える。
【００２０】
この実施形態の液晶パネルスピーカによれば、左右のステレオ信号にステレオ感を強調する処理を施しているので、上記左右の振動パネルの実際の位置より拡がった位置から音声が再生される効果が得られる。さらに、一枚の上記シリコンパネルに上記ステレオ感強調処理回路を搭載できるので、コストの低減および小型化を図ることができる。
【００２１】
また、一実施形態の液晶パネルスピーカでは、上記シリコンパネルに、音響信号を複数の周波数帯域に分割するフィルタを設け、この帯域分割された信号を上記複数の振動パネルの再生周波数帯域に合わせて上記複数の振動パネルに出力する。
【００２２】
この実施形態の液晶パネルスピーカによれば、上記各振動パネルの再生周波数帯域に合うように、上記各振動パネルへの入力信号を、上記フィルタによって処理しているので、上記各振動パネルの出力特性が改善され、音量増加や消費電力低下などが改善される。さらに、一枚の上記シリコンパネルに上記フィルタを搭載できるので、コストの低減および小型化を図ることができる。
【００２３】
また、この発明の液晶パネルスピーカは、
シリコンパネルと、
このシリコンパネルに設けられた液晶表示部と、
この液晶表示部の全面を覆うように上記シリコンパネルに設けられた透明な第１の振動パネルと、
この第１の振動パネルの外側に位置するように上記シリコンパネルに設けられた第２の振動パネルと、
上記シリコンパネルに設けられると共に、音響信号を複数の周波数帯域に分割し、この帯域分割された信号を上記第１と上記第２の振動パネルの再生周波数帯域に合わせて上記第１と上記第２の振動パネルに出力するフィルタと
を備えることを特徴としている。
【００２４】
この発明の液晶パネルスピーカによれば、上記液晶表示部の全面は一枚の上記第１の振動パネルに覆われているので、上記第１の振動パネルには分割溝がなくて、上記液晶表示部による表示に、上記第１の振動パネルによって筋が入ることがなく、上記液晶表示部による表示に悪影響がない。また、スピーカは、上記第１の振動パネルと上記第２の振動パネルとに分割されているので、マルチチャンネルスピーカとして構成できる。また、一枚の上記シリコンパネルに上記液晶表示部、上記振動パネルおよび上記フィルタを搭載できるので、コストの低減および小型化を図ることができる。また、上記各振動パネルの再生周波数帯域に合うように、上記各振動パネルへの入力信号を、上記フィルタによって処理しているので、上記各振動パネルの出力特性が改善され、音量増加や消費電力低下などが改善される。
【００２５】
また、一実施形態の液晶パネルスピーカでは、上記フィルタは、上記第１の振動パネルに低域周波数の信号を出力する一方、上記第２の振動パネルに高域周波数の信号を出力する。
【００２６】
この実施形態の液晶パネルスピーカによれば、上記フィルタは、（大きな面積に設定可能な）上記第１の振動パネルに低域周波数の信号を出力するので、上記第１の振動パネルの再生周波数特性に合わせた低域周波数の信号を上記第１の振動パネルに出力できる。また、上記フィルタは、（小さな面積に設定可能な）上記第２の振動パネルに高域周波数の信号を出力するので、上記第２の振動パネルの再生周波数特性に合わせた高域周波数の信号を上記第２の振動パネルに出力できる。このように、低域周波数の再生特性、および、高域周波数の再生特性を改善できる。
【発明の効果】
【００２７】
この発明の液晶パネルスピーカによれば、上記液晶表示部の全面を覆う上記中央の振動パネルと上記中央の振動パネルの左右外側に位置する上記左右の振動パネルとを備えるので、表示への悪影響がなく、マルチチャンネルスピーカとして構成できる。
【発明を実施するための最良の形態】
【００２８】
以下、この発明を図示の実施の形態により詳細に説明する。
【００２９】
（第１の実施形態）
図１は、この発明の液晶パネルスピーカの第１実施形態である簡略構成図を示している。この液晶パネルスピーカは、シリコンパネル１０１と、液晶表示部１０２と、振動パネル１０３，１０５，１０７と、ステレオ左側音声信号処理部１０９と、ステレオ右側音声信号処理部１１０と、加算器１１１とを備える。
【００３０】
上記液晶表示部１０２、上記ステレオ左側音声信号処理部１０９、上記ステレオ右側音声信号処理部１１０および上記加算器１１１の回路（駆動部を含む）を、上記シリコンパネル１０１に直接に実装することが可能であり、ロジック回路を別途設ける必要はない。
【００３１】
上記液晶表示部１０２は、上記シリコンパネル１０１の左右方向中央位置にある。中央の上記振動パネル１０３は、上記液晶表示部１０２の全面を覆っている。左右の上記振動パネル１０５，１０７は、上記中央の振動パネル１０３の左右外側に位置している。
【００３２】
上記左の振動パネル１０５に、左側の振動子１０６が設けられ、上記ステレオ左側音声信号処理部１０９は、上記左側の振動子１０６に接続される。上記ステレオ左側音声信号処理部１０９から出力された左ステレオ信号は、上記左側の振動子１０６に入力され、上記左側の振動パネル１０５を振動させる。
【００３３】
上記右の振動パネル１０７に、右側の振動子１０８が設けられ、上記ステレオ右側音声信号処理部１１０は、上記右側の振動子１０８に接続される。上記ステレオ右側音声信号処理部１１０から出力された右ステレオ信号は、上記右側の振動子１０８に入力され、上記右側の振動パネル１０７を振動させる。
【００３４】
上記左右の振動パネル１０５，１０７は、上記中央の振動パネル１０３と完全に切断され分離されていてもよく、または、上記左右の振動パネル１０５，１０７は、上記中央の振動パネル１０３に一体に連続されていてもよい。なお、一体に連続されている場合、上記左右の振動パネル１０５，１０７と上記中央の振動パネル１０３とは、隣り合う２つのパネルの振動が境界を越えて伝播しないように、この境界部分を上記シリコンパネル１０１に接着するようにしてもよい。
【００３５】
ここで、上記左右の振動パネル１０５，１０７の面積は、上記中央の振動パネル１０３の面積に比べて小さくてもよい。パネルスピーカの場合、低域周波数の再生に対しては、振動パネルの面積は大きい方が望ましく、逆に、高域周波数の再生に対しては、振動パネルの面積は小さくてもよい。
【００３６】
また、人間の聴覚において音源位置の知覚には高域周波数成分が重要であるので、ステレオ感等の音の拡がり感を出すためには、左右それぞれのスピーカの距離を離して配置することが効果的である。ゆえに、互いに離隔している上記左右の振動パネル１０５，１０７にステレオ信号を出力することは、ステレオ特性の改善には非常に有効である。
【００３７】
上記中央の振動パネル１０３は、上記液晶表示部１０２が見えるように透明で、かつ、上記液晶表示部１０２の全体を覆っている。液晶パネルスピーカにおいて、上記液晶表示部１０２の面積は、上記シリコンパネル１０１の大部分の面積を占めることが一般的である。このように、上記中央の振動パネル１０３の面積を大きくすることで、低周波信号の再生特性を改善できる。
【００３８】
また、上記中央の振動パネル１０３の剛性は、上記左右の振動パネル１０５，１０７の剛性よりも、大きくしてもよい。このように、上記中央の振動パネル１０３として、例えば、上記左右の振動パネル１０５，１０７より厚さの厚い振動パネルを用いる、あるいはヤング率の高い比較的剛性の高い材質を用いることで、上記中央の振動パネル１０３を平面振動し易くして、低周波信号の再生特性を改善できる。
【００３９】
上記中央の振動パネル１０３に、異なる位置に配置された複数の中央の振動子１０４が設けられ、上記加算器１１１は、上記複数の中央の振動子１０４に接続される。上記複数の振動子１０４は、上記中央の振動パネル１０３の四隅にある。なお、上記振動子１０４は、一つでもよい。
【００４０】
上記加算器１１１は、上記ステレオ左側音声信号処理部１０９および上記ステレオ右側音声信号処理部１１０に接続される。上記加算器１１１は、上記ステレオ左側音声信号処理部１０９および上記ステレオ右側音声信号処理部１１０のそれぞれから入力されるステレオ信号を混合してモノラル信号を生成し、このモノラル信号を上記振動子１０４に出力し、上記中央の振動パネル１０３を振動させる。
【００４１】
このように、異なる位置に配置された上記複数の振動子１０４を、同相の振動で駆動することができ、上記中央の振動パネル１０３が平面振動し易くなる。これにより、低域周波数の再生特性を改善することができる。
【００４２】
つまり、背景技術で記述したように、一枚の振動パネル内の左右位置に、左右それぞれの音源用振動子を配置することで、一枚のパネルでもステレオ再生するものもあるが、この発明では、上記中央の振動パネル１０３をモノラル再生用スピーカとして使用し、上記左右の振動パネル１０５，１０７をステレオ再生用スピーカとして使用する。このように、この発明では、スピーカを３つの領域に分割している。
【００４３】
上記構成の液晶パネルスピーカによれば、これまで液晶パネルスピーカで問題であった、周波数特性やステレオ分離特性の課題が改善される。また、上記液晶表示部１０２の全面は一枚の上記中央の振動パネル１０３に覆われているので、上記中央の振動パネル１０３には分割溝がなくて、上記液晶表示部１０２による表示に、上記中央の振動パネル１０３によって筋が入ることがなく、上記液晶表示部１０２による表示に悪影響がない。
【００４４】
なお、上記振動パネルを４つ以上としてもよく、また、上記振動子の数量の増減は、自由である。
【００４５】
（第２の実施形態）
図２は、この発明の液晶パネルスピーカの第２実施形態の簡略構成図を示している。上記第１の実施形態と相違する点を説明すると、この第２の実施形態では、上記シリコンパネル１０１に、音響信号を複数の周波数帯域に分割するフィルタ１１２，１１３，１１４を設け、この帯域分割された信号を上記複数の振動パネル１０３，１０５，１０７の再生周波数帯域に合わせて上記振動パネル１０３，１０５，１０７に出力している。つまり、この第２の実施形態では、上記第１の実施形態に加えて、左右の高域通過フィルタ１１２，１１３、および、低域通過フィルタ１１４がある。
【００４６】
上記左右の高域通過フィルタ１１２，１１３、および、上記低域通過フィルタ１１４の回路も、上記シリコンパネル１０１上に直接実装することができて、別途ロジック回路を設ける必要がない。
【００４７】
上記左の高域通過フィルタ１１２は、上記ステレオ左側音声信号処理部１０９と上記左の振動パネル１０５との間に接続される。上記左の高域通過フィルタ１１２は、上記ステレオ左側音声信号処理部１０９から入力されるステレオ信号から、高域周波数の信号を通過させて、この信号を上記左の振動パネル１０５に出力する。
【００４８】
上記右の高域通過フィルタ１１３は、上記ステレオ右側音声信号処理部１１０と上記右の振動パネル１０７との間に接続される。上記右の高域通過フィルタ１１３は、上記ステレオ右側音声信号処理部１１０から入力されるステレオ信号から、高域周波数の信号を通過させて、この信号を上記右の振動パネル１０７に出力する。
【００４９】
上記低域通過フィルタ１１４は、上記加算器１１１と上記中央の振動パネル１０３との間に接続される。上記低域通過フィルタ１１４は、上記加算器１１１から入力されるモノラル信号から、低域周波数の信号を通過させて、この信号を上記中央の振動パネル１０３に出力する。
【００５０】
このように、上記中央の振動パネル１０３は、低域周波数の再生を行い、上記左右の振動パネル１０５，１０７は、高域周波数の再生を行う。
【００５１】
つまり、小面積の上記左右の振動パネル１０５，１０７に、低域周波数信号を入力しても再生できず、音量が不足したり電力が無駄に消費されるなど効率が悪くなる。それゆえ、上記左右の振動パネル１０５，１０７への音声信号は、予め、上記高域通過フィルタ１１２，１１３で高域成分のみにしてから、上記左右の振動子１０６、１０８に入力している。
【００５２】
同様に、上記中央の振動パネル１０３への音声信号は、主に低域周波数の信号を再生させるよう、予め上記低域通過フィルタ１１４で低域成分のみにしてから、上記中央の振動子１１４に入力している。
【００５３】
このように、上記各振動パネル１０３，１０５，１０７（スピーカ）の再生周波数帯域に合うように、上記各振動パネル１０３，１０５，１０７への入力信号を、上記各フィルタ１１２，１１３，１１４によって処理しているので、上記各振動パネル１０３，１０５，１０７の出力特性（再生効率）が改善され、音量増加や消費電力低下の効果を得ることができる。
【００５４】
（第３の実施形態）
図３は、この発明の液晶パネルスピーカの第３実施形態の簡略構成図を示している。上記第１の実施形態と相違する点を説明すると、この第３の実施形態では、上記第１の実施形態に加えて、左右のステレオ感強調処理回路１１５，１１６、および、低域通過フィルタ１１４がある。
【００５５】
上記左右のステレオ感強調処理回路１１５，１１６、および、上記低域通過フィルタ１１４の回路も、上記シリコンパネル１０１上に直接実装することができて、別途ロジック回路を設ける必要がない。
【００５６】
上記左のステレオ感強調処理回路１１５は、上記ステレオ左側音声信号処理部１０９と上記左の振動パネル１０５との間に接続される。上記左のステレオ感強調処理回路１１５は、上記ステレオ左側音声信号処理部１０９から入力されるステレオ信号に、ステレオ感を強調する処理を施して、この信号を上記左の振動パネル１０５に出力する。
【００５７】
上記右のステレオ感強調処理回路１１６は、上記ステレオ右側音声信号処理部１１０と上記右の振動パネル１０７との間に接続される。上記右のステレオ感強調処理回路１１６は、上記ステレオ右側音声信号処理部１１０から入力されるステレオ信号に、ステレオ感を強調する処理を施して、この信号を上記右の振動パネル１０７に出力する。
【００５８】
上記低域通過フィルタ１１４は、上記加算器１１１と上記中央の振動パネル１０３との間に接続される。上記低域通過フィルタ１１４は、上記加算器１１１から入力されるモノラル信号から、低域周波数の信号を通過させて、この信号を上記中央の振動パネル１０３に出力する。
【００５９】
このように、上記中央の振動パネル１０３は、低域周波数の再生を行い、上記左右の振動パネル１０５，１０７は、主に高域周波数の再生を行うが、さらに、上記ステレオ感強調処理回路１１５，１１６の処理を行った後の信号の再生を行う。
【００６０】
つまり、上記液晶表示部１０２が小さくて、上記左右の振動パネル１０６，１０７の距離が近い場合、ステレオ感が乏しくなるという問題がある。そこで、左右のステレオ信号にステレオ感を強調する処理を施すことで、上記左右の振動パネル１０６，１０７の実際の位置より拡がった位置から、ステレオ感を強調した音が再生される効果が得られる。
【００６１】
ステレオ感を強調する処理には、信号の位相情報を操作する方法や、実際の位置より離れた位置にスピーカがあるかのように入力信号にフィルタ処理する方法などがあり、ステレオ感を強調する手段は、特に限定しない。
【００６２】
（第４の実施形態）
図示しないが、この第４の実施形態の液晶パネルスピーカは、シリコンパネルと、液晶表示部と、この液晶表示部の全面を覆う透明な第１の振動パネルと、この第１の振動パネルの外側に位置する第２の振動パネルと、フィルタとを備える。
【００６３】
例えば、上記シリコンパネルは、図２の符号１０１に相当し、上記液晶表示部は、図２の符号１０２に相当し、上記第１の振動パネルは、図２の符号１０３に相当し、上記第２の振動パネルは、図２の符号１０５または１０７に相当し、上記フィルタは、図２の符号１１２または１１３および１１４に相当する。なお、上記第２の振動パネルは、上記第１の振動パネルを囲むような枠状であってもよい。
【００６４】
上記液晶表示部および上記フィルタは、上記シリコンパネルに設けられ、例えば、上記シリコンパネルに直接に実装されている。
【００６５】
上記フィルタは、音響信号を複数の周波数帯域に分割し、この帯域分割された信号を上記第１と上記第２の振動パネルの再生周波数帯域に合わせて上記第１と上記第２の振動パネルに出力する。
【００６６】
このように、上記液晶表示部の全面は一枚の上記第１の振動パネルに覆われているので、上記第１の振動パネルには分割溝がなくて、上記液晶表示部による表示に、上記第１の振動パネルによって筋が入ることがなく、上記液晶表示部による表示に悪影響がない。また、スピーカは、上記第１の振動パネルと上記第２の振動パネルとに分割されているので、マルチチャンネルスピーカとして構成できる。また、一枚の上記シリコンパネルに上記液晶表示部、上記振動パネルおよび上記フィルタを搭載できるので、コストの低減および小型化を図ることができる。また、上記各振動パネルの再生周波数帯域に合うように、上記各振動パネルへの入力信号を、上記フィルタによって処理しているので、上記各振動パネルの出力特性が改善され、音量増加や消費電力低下などが改善される。
【００６７】
さらに、この第４の実施形態の液晶パネルスピーカでは、上記フィルタは、上記第１の振動パネルに低域周波数の信号を出力する一方、上記第２の振動パネルに高域周波数の信号を出力する。つまり、上記第１の振動パネルを低周波再生用スピーカとして使用し、上記第２の振動パネルを高周波再生用スピーカとして使用する。このように、この発明では、スピーカを２つの領域に分割している。
【００６８】
このように、上記フィルタは、（大きな面積に設定可能な）上記第１の振動パネルに低域周波数の信号を出力するので、上記第１の振動パネルの再生周波数特性に合わせた低域周波数の信号を上記第１の振動パネルに出力できる。また、上記フィルタは、（小さな面積に設定可能な）上記第２の振動パネルに高域周波数の信号を出力するので、上記第２の振動パネルの再生周波数特性に合わせた高域周波数の信号を上記第２の振動パネルに出力できる。このように、低域周波数の再生特性、および、高域周波数の再生特性を改善できる。
【図面の簡単な説明】
【００６９】
【図１】本発明の液晶パネルスピーカの第１実施形態を示す簡略構成図である。
【図２】本発明の液晶パネルスピーカの第２実施形態を示す簡略構成図である。
【図３】本発明の液晶パネルスピーカの第３実施形態を示す簡略構成図である。
【符号の説明】
【００７０】
１０１    シリコンパネル
１０２    液晶表示部
１０３    中央の振動パネル
１０４    中央の振動子
１０５    左の振動パネル
１０６    左の振動子
１０７    右の振動パネル
１０８    右の振動子
１０９    ステレオ左側音声信号処理部
１１０    ステレオ右側音声信号処理部
１１１    加算器
１１２    左の高域通過フィルタ
１１３    右の高域通過フィルタ
１１４    低域通過フィルタ
１１５    左のステレオ感強調処理回路
１１６    右のステレオ感強調処理回路
【図１】
2006325079.tif 000003
【図２】
2006325079.tif 000004
【図３】
2006325079.tif 000005